【手続補正書】
【提出日】平成17年4月6日(2005.4.6)
【手続補正１】
【補正対象書類名】明細書
【補正対象項目名】特許請求の範囲
【補正方法】変更
【補正の内容】
【特許請求の範囲】
【請求項１】
ネットワークを介してメディアを通信する方法であって、
サーバーにおいてメディアをサーバー データベース内に符号化し、
一般にユーザー要求を満足させるに必要なメディアの部分だけを前記サーバー データベースからクライアント データベースにダウンロードし、
前記メディアの所定アイテムについてのユーザー要求に応答して、このメディアがクライアント データベースに存在するかどうかを決定し、これが存在しなければこのメディアの所定アイテムをユーザーに供給するのに必要なメディアの部分をサーバー データベースから自動的にダウンロードする
段階を包含する方法。
【請求項２】
請求項１記載の方法において、前記メディアの所定アイテムをユーザーに流す段階をも包含する方法。
【請求項３】
請求項２記載の方法において、前記サーバー データベースから自動的にダウンロードされた前記メディアの部分を前記クライアント データベース内に蓄積して、これによりクライアント データベースを漸進的に形成して行く段階をも包含する方法。
【請求項４】
請求項２記載の方法において、前記メディアの所定アイテムをユーザーに流す段階が前記クライアント データベースから受け取ったメディアの第１の部分を流し、前記サーバー データベースから受け取ったメディアの第２の部分を流すことを包含する方法。
【請求項５】
請求項１記載の方法において、ユーザー要求を満足させるに必要なメディアの部分がクライアント データベースに蓄積されているかどうかを確認する段階をも包含する方法。
【請求項６】
請求項５記載の方法において、前記確認段階がメディアについての対話式ユーザー要求をフェッチ アドレスに翻訳する段階を包含する方法。
【請求項７】
請求項１記載の方法において、前記符号化段階が圧縮段階を包含する方法。
【請求項８】
請求項２記載の方法において、前記符号化段階が圧縮段階を包含するとともに、前記メディアの所定アイテムをユーザーに流す段階に先だって前記メディアを圧縮解除する段階を包含する方法。
【請求項９】
請求項６記載の方法において、前記確認段階がサーバー コンピュータとクライアント コンピュータとの両方で行われるようにする方法。
【請求項１０】
請求項２記載の方法において、前記メディアが、これを流すのに先だって直接流すことが可能なメディア データベース内に蓄積されるようにする方法。
【請求項１１】
サーバーと、ユーザーにより操作されるクライアント コンピュータとを包含し、ネットワークを介してメディアを通信する装置であって、
前記サーバーが符号化されたメディアを有するサーバー データベースと、サーバーアクセルコントローラ、即ち一般にユーザー要求を満足させるに必要なメディアの部分だけを確認し、サーバー データベースからクライアント データベースへダウンロードすることを可能とするサーバー アクセス コントローラとを包含し、
前記クライアント コンピュータがクライアント データベースと、クライアント  データーベースマネージャー、即ち
メディアの要求されたアイテムが前記クライアント ベータベースに存在するかどうかを決定し、もしこれが存在しなければ、このユーザーの要求したメディアアイテムをユーザーに供給するのに必要なメディアの部分を前記サーバー データベースから前記サーバー アクセス コントローラを介して自動的にダウンロードするように作動するクライアント データーベース マネージャーとを包含する装置。
【請求項１２】
請求項１１記載の装置において、メディアの所定アイテムをユーザーへ流すプレイヤーをも包含する装置。
【請求項１３】
請求項１２記載の装置において、前記サーバー データベースから自動的にダウンロードされた前記メディアの部分を前記クライアント データベース内に蓄積して、これによりクライアント データベースを漸進的に形成して行く装置をも包含する装置。
【請求項１４】
請求項１２記載の装置において、前記プレイヤーが前記クライアント データベースから受け取ったメディアの第１の部分を流し、前記サーバー データベースから受け取ったメディアの第２の部分を流すように作動する装置。
【請求項１５】
請求項１１記載の装置において、ユーザー要求を満足させるに必要なメディアの部分がクライアント データベースに蓄積されているかどうかを確認するアクセス コントローラをも包含する装置。
【請求項１６】
請求項１５記載の装置において、前記アクセス コントローラがメディアについての対話式ユーザー要求をフェッチ アドレスに翻訳するようにも作動する装置。
【請求項１７】
請求項１１記載の装置において、データ圧縮を行うエンコーダをも包含する装置。
【請求項１８】
請求項１２記載の装置において、データ圧縮を行うエンコーダと、データユーザーに流すに先だってデータ圧縮解除を行うデコンプレッサとを包含する装置。
【請求項１９】
請求項１６記載の装置において、前記アクセス コントローラがサーバー アクセス コントローラとクライアント アクセス コントローラとを包含する装置。
【請求項２０】
請求項１２記載の装置において、前記メディアを流すのに先だって、このメディアを蓄積する直接流すことが可能なメディア データベースを包含する装置。
【請求項２１】
コンピュータ ネットワークを介してディジタル イメージを見る方法において、
サーバー コンピュータ上に複数の解像度を有する複数のイメージタイルをもつディジタル イメージを記憶し、
クライアント コンピュータ上でインターネット ブラウザの使用者が前記ディジタル イメージの可視ディスプレイをナビゲートするのを可能にするに必要なデータを与える段階を包含する方法であって、
前記データを与える段階が所定の解像度において前記ディジタル イメージの所定部分を見るクライアント コンピュータからの要求を受け、
前記所定の解像度において前記ディジタル イメージの所定部分を表示するに必要なイメージタイルを識別し、
識別したイメージ タイルが前記クライアント コンピュータのローカル キャッシュ内にあるかどうかを前記インターネット ブラウザにより確かめた後、コンピュータ ネットワークを介して、前記ローカル キャッシュに存在しない前記識別したイメージ タイルを前記クライアント コンピュータに通信して前記クライアント コンピュータの前記ローカル キャッシュに記憶する
ことを包含する方法。
【請求項２２】
請求の範囲２１記載の方法において、前記コンピュータ ネットワークがローカル エリア ネットワークである方法。
【請求項２３】
請求の範囲２１記載の方法において、前記コンピュータ ネットワークがワイド エリア ネットワークである方法。
【請求項２４】
請求項２１記載の方法において、前記コンピュータ ネットワークがインターネットである方法。
【請求項２５】
請求項２１記載の方法において、前記クライアント コンピュータからの要求がマウス入力装置により発せられる方法。
【請求項２６】
請求項２１記載の方法において、前記クライアント コンピュータからの要求がキーボード入力装置により発せられる方法。
【請求項２７】
請求項２１記載の方法において、前記識別プロセスがサーバー コンピュータにより実行される方法。
【請求項２８】
請求項２１記載の方法において、前記識別プロセスがクライアント コンピュータにより実行される方法。
【請求項２９】
請求項２１記載の方法において、前記識別プロセスが、前記ローカル キャッシュに存在しない前記識別されたイメージ タイルのための要求を受けることを包含する方法。
【請求項３０】
請求項２１記載の方法において、前記識別プロセスが前記所定解像度における前記ディジタル イメージの所定部分の表示に必要で、前記ローカル キャッシュ内に存在しないイメージ タイルを少なくとも１つのファイル内のバイト領域に翻訳することを包含する方法。
【請求項３１】
請求項３０記載の方法において、前記識別プロセスが前記サーバー コンピュータにより実行される方法。
【請求項３２】
請求項３０記載の方法において、前記識別プロセスが前記クライアント コンピュータにより実行される方法。
【請求項３３】
請求項３２記載の方法において、前記翻訳プロセスが前記サーバー コンピュータにより実行される方法。
【請求項３４】
請求項３３記載の方法において、前記要求を受けるプロセスがさらに、前記ローカル キャッシュに存在していない前記識別されたイメージ タイルのための要求を受けることを包含する方法。
【請求項３５】
請求項３２記載の方法において、前記翻訳プロセスが前記クライアント コンピュータにより実行される方法。
【請求項３６】
請求項３５記載の方法において、前記要求を受けるプロセスがさらに、少なくとも１つのファイル内のバイト領域に記憶されたデータのための要求を受けることを包含する方法。
【請求項３７】
請求項２１記載の方法において、前記データを与えるプロセスが解像度を増したディジタル イメージへズームするのに用いられる方法。
【請求項３８】
請求項２１記載の方法において、前記データを与えるプロセスが多数回連続して実行される方法。
【請求項３９】
請求項２１記載の方法において、単一のイメージから複数のイメージ タイルを発生することをさらに包含する方法。
【請求項４０】
請求項３９記載の方法において、複数のイメージ タイルを圧縮させることをさらに包含する方法。
【請求項４１】
請求項２１記載の方法において、前記イメージ タイルが圧縮され、インターネット ブラウザが前記イメージ タイルを圧縮解除する方法。
【請求項４２】
請求項２１記載の方法において、インターネット ブラウザが前記所定の解像度のディジタル イメージの所定部分をウエブ ページ内に表示する方法。
【請求項４３】
請求項４２記載の方法において、ディスプレイ スクリーン上に前記ウエブ ページを表示するに先だって、前記ウエブ ページをグラフィック装置内に与えることをさらに包含する方法。
【請求項４４】
コンピュータ ネットワークを介してディジタル イメージを見るシステムにおいて、サーバー  コンピュータ、即ち
複数の解像度を有する複数のイメージ タイルをもつディジタル イメージを記憶するサーバー ハードウエアと、
所定の解像度でディジタル イメージの所定部分を見る、クライアント コンピュータからの要求を受けるレシーバと、
トランスミッタとを包含するサーバー コンピュータと、
所定の解像度で前記ディジタル イメージの所定部分を表示するに必要な前記イメージ タイルを識別するデータ プロセッサとを包含し、前記サーバー コンピュータが、クライアント コンピュータ、即ち前記ディジタル イメージに可視ディスプレイをナビゲートするとともに、前記データ プロセッサにより識別された前記イメージ タイルのどれがローカル キャシュ内に存在するかを決定するインターネット ブラウザと、
該インターネット ブラウザが新しくアクセスしたデータを自動的に記憶させるローカル キャッシュとを包含するクライアント コンピュータを補間するように形成されており、
前記サーバー コンピュータが、コンピュータ ネットワーク、即ち前記クライアント コンピュータも接続されかつこれを介して前記レシーバが前記クライアント コンピュータからの要求を受けるコンピュータ ネットワークに接続されていること、及び、前記トランスミッタが前記データ プロセッサにより識別されたが前記ローカル キャッシュ内に存在しないイメージ タイルを前記コンピュータ ネットワークを介して前記クライアント コンピュータへ通信することを特徴とするシステム。
【請求項４５】
請求項４４記載のシステムにおいて、前記コンピュータ ネットワークがローカル エリア ネットワークであるシステム。
【請求項４６】
請求項４４記載のシステムにおいて、前記コンピュータ ネットワークがワイド エリア ネットワークであるシステム。
【請求項４７】
請求項４４記載のシステムにおいて、前記コンピュータ ネットワークがインターネットであるシステム。
【請求項４８】
請求項４４記載のシステムにおいて、前記クライアント コンピュータからの要求を発するマウス入力装置をさらに包含するシステム。
【請求項４９】
請求項４４記載のシステムにおいて、前記クライアント コンピュータからの要求を発するキーボード入力装置をさらに包含するシステム。
【請求項５０】
請求項４４記載のシステムにおいて、前記データ プロセッサが前記サーバー コンピュータ内にあるシステム。
【請求項５１】
請求項４４記載のシステムにおいて、前記データ プロセッサが前記クライアント コンピュータ内にあるシステム。
【請求項５２】
請求項４４記載のシステムにおいて、前記レシーバが、前記ローカル キャッシュ内に存在しない前記識別されたイメージ タイルのための要求を受けるシステム。
【請求項５３】
請求項４４記載のシステムにおいて、所定の解像度における前記ディジタル イメージの所定部分を表示するに必要であり前記ローカル キャッシュに存在しない前記イメージ タイルを、少なくとも１つのファイルのバイト領域内に翻訳するアドレス トランスレータをさらに包含するシステム。
【請求項５４】
請求項５３記載のシステムにおいて、前記データ プロセッサが前記サーバー コンピュータ内にあるシステム。
【請求項５５】
請求項５３記載のシステムにおいて、前記データ プロセッサが前記クライアント コンピュータ内にあるシステム。
【請求項５６】
請求項５５記載のシステムにおいて、前記アドレス トランスレータが前記サーバー コンピュータ内にあるシステム。
【請求項５７】
請求項５６記載のシステムにおいて、前記レシーバが前記ローカル キャッシュ内に存在しない前記識別されたイメージ タイルのための要求を受けるシステム。
【請求項５８】
請求項５５記載のシステムにおいて、前記アドレス トランスレータが前記クライアント コンピュータ内にあるシステム。
【請求項５９】
請求項５８記載のシステムにおいて、前記レシーバが少なくとも１つのファイル内のバイト領域に記憶されたデータのための要求を受けるシステム。
【請求項６０】
請求項４４記載のシステムにおいて、前記データ プロセッサが解像度の増加したディジタル イメージへズームするのに用いられるシステム。
【請求項６１】
請求項４４記載のシステムにおいて、単一のイメージから複数のイメージ タイルを発生させるイメージ プロセッサをさらに包含するシステム。
【請求項６２】
請求項６１記載のシステムにおいて、前記イメージ プロセッサが複数のイメージ タイルを圧縮するシステム。
【請求項６３】
請求項４４記載のシステムにおいて、前記イメージ タイルが圧縮され、前記インターネット ブラウザが前記イメージ タイルを圧縮解除するシステム。
【請求項６４】
請求項４４記載のシステムにおいて、前記インターネット ブラウザが、前記クライアントコンピュータに接続されたディスプレイ装置上のウエブ ページ内に、所定の解像度で前記ディジタル イメージの所定部分を表示するシステム。
【請求項６５】
請求項６４記載のシステムにおいて、前記クライアントコンピュータがさらにグラフィック装置を包含しており、前記インターネットブラウザが、前記ディスプレイ装置に前記ウエブページを表示するに先だって前記グラフィック装置に前記ウエブページを与えるシステム。
【請求項６６】
コンピュータネトワークを介してディジタル イメージを見るシステムにおいて、
データ プロセッサ、即ち複数の解像度の複数のイメージ タイルを有するディジタル イメージの指定部分を所定の解像度で表示するに必要なイメージ タイルを識別するデータ プロセッサと、
クライアント コンピュータ、即ち前記ディジタル イメージの可視ディスプレイをナビゲートするためのインターネット ブラウザと、該インターネット ブラウザが新しくアクセスしたデータを自動的に記憶するローカル キャッシュとを包含するクライアント コンピュータ
とを包含し、前記インターネット ブラウザが、前記データ プロセッサにより識別された前記イメージ タイルのどれが前記ローカル キャシュにあるかを決定するようにし、かつ上記クライアント コンピュータがサーバ ーコンピュータ、即ち複数の解像度を有する複数のイメージ タイルをもつディジタル イメージを記憶するためのコンピュータ ハードウエアと、
前記所定の解像度の前記ディジタル イメージの前記所定部分を見るための前記クライアント コンピュータからの要求を受けるレシーバと、
前記ローカル キャッシュに存在しない、前記データ プロセッサにより識別されたイメージ タイルを、コンピュータ ネットワークを介して前記クライアントコンピュータへ通信するトランスミッタとを包含するサーバー  コンピュータと相互運用するように形成されているシステム。
【請求項６７】
請求項６６記載のシステムにおいて、前記コンピュータ ネットワークがローカル ネットワークであるシステム。
【請求項６８】
請求項６６記載のシステムにおいて、前記コンピュータ ネットワークがワイド ネットワークであるシステム。
【請求項６９】
請求項６６記載のシステムにおいて、前記コンピュータ ネットワークがインターネットであるシステム。
【請求項７０】
請求項６６記載のシステムにおいて、前記クライアント コンピュータからの要求を発するためのマウス入力装置をさらに包含するシステム。
【請求項７１】
請求項６６記載のシステムにおいて、前記クライアント コンピュータからの要求を発するためのキーボード入力装置をさらに包含するシステム。
【請求項７２】
請求項６６記載のシステムにおいて、前記データ プロセッサが前記サーバー コンピュータ内にあるシステム。
【請求項７３】
請求項６６記載のシステムにおいて、前記データ プロセッサが前記クライアント コンピュータ内にあるシステム。
【請求項７４】
請求項７３記載のシステムにおいて、前記レシーバが、前記ローカル キャッシュ内に存在しない、前記識別されたイメージ タイルのための要求を受けるシステム。
【請求項７５】
請求項６６記載のシステムにおいて、前記所定解像度の前記ディジタル イメージの前記所定部分を表示するに必要でありながら、前記ローカル キャッシュ内にない前記イメージ タイルを、少なくとも１つのファイル内のバイト領域内に翻訳するアドレス トランスレータをさらに包含するシステム。
【請求項７６】
請求項７５記載のシステムにおいて、前記データ プロセッサが前記サーバー コンピュータ内にあるシステム。
【請求項７７】
請求項７５記載のシステムにおいて、前記データ プロセッサが前記クライアント コンピュータ内にあるシステム。
【請求項７８】
請求項７７記載のシステムにおいて、前記アドレス トランスレータが前記サーバー コンピュータ内にあるシステム。
【請求項７９】
請求項７８記載のシステムにおいて、前記レシーバが前記ローカル キャッシュ内に存在しない識別されたイメージ タイルのための要求を受けるシステム。
【請求項８０】
請求項７７記載のシステムにおいて、前記アドレス トランスレータが前記クライアント コンピュータ内にあるシステム。
【請求項８１】
請求項８０記載のシステムにおいて、前記レシーバが少なくとも１つのファイル内の前記バイト領域に記憶されたデータのための要求を受けるシステム。
【請求項８２】
請求項６６記載のシステムにおいて、前記データ プロセッサが、解像度の増す前記ディジタル イメージへとズームするのに用いられるシステム。
【請求項８３】
請求項６６記載のシステムにおいて、前記サーバー コンピュータが、単一のイメージから複数のイメージ タイルを発生させるイメージ プロセッサをさらに包含するシステム。
【請求項８４】
請求項８３記載のシステムにおいて、前記イメージ プロセッサが複数のイメージ タイルを圧縮するシステム。
【請求項８５】
請求項６６記載のシステムにおいて、前記イメージ タイルが圧縮され、前記インターネット ブラウザが前記イメージ タイルを圧縮解除するシステム。
【請求項８６】
請求項６６記載のシステムにおいて、前記クライアント コンピュータに接続されたディスプレイ装置をさらに包含し、前記インターネット ブラウザが、前記ディスプレイ装置のウエブ ページ内に、前記所定解像度の前記ディジタル イメージの前記所定部分を表示するシステム。
【請求項８７】
請求項８６記載のシステムにおいて、前記クライアント コンピュータがグラフィック装置をさらに包含し、前記インターネット ブラウザが、前記ディスプレイ装置のウエブ ページを表示するに先だって、前記グラフィック装置へ前記ウエブ ページを与えるシステム。
【請求項８８】
少なくとも１つのサーバー コンピュータと、少なくとも１つのクライアント コンピュータとを有するコンピュータ ネットワークに接続した複数のコンピュータを用いてディジタル イメージをみるための命令のプログラムを具体化する１つまたはそれ以上の数のコンピュータ読み取り可能なメディアを包含する製造物品において、前記命令のプログラムは、前記の１つまたはそれ以上の数のコンピュータにより実行されるとき、その１つまたはそれ以上の数のコンピュータが下記作用、即ち、
クライアント コンピュータからの要求を受けて、複数の解像度の複数のイメージ タイルを有するディジタル イメージの所定の解像度の所定の部分を見ること、
前記所定の解像度の前記ディジタル イメージの前記所定部分を表示するに必要な前記イメージ タイルを識別すること、
その識別されたイメージ タイルのどれが前記クライアント コンピュータのローカル キャッシュ内に存在するかをインターネット ブラウザにより決定した後、前記ローカル キャッシュ内に存在しない前記の識別されたイメージ タイルをコンピュータ ネットワークを介して通信して、利用者が見るように、しかも前記クライアント コンピュータの前記ローカル キャッシュ内に前記インターネット ブラウザにより自動的に記憶するようにすること
を関連して引き起こすようにした製造物品。
【請求項８９】
請求項８８記載の製造物品において、前記の１つまたはそれ以上の数のコンピュータ読み取り可能なメディアが、１つまたはそれ以上の数の不揮発性記憶装置を包含する製造物品。
【請求項９０】
請求項８８記載の製造物品において、前記の１つまたはそれ以上の数のコンピュータ読み取り可能なメディアが、データ信号で変調された搬送波を包含する製造物品。
【請求項９１】
サーバー コンピュータによりクライアント コンピュータへ送られたディジタル符号化されたイメージ データを含む電子信号において、
前記クライアント コンピュータと前記サーバー コンピュータとがコンピュータ ネットワークを介して接続されており、
前記信号が、多数解像度を有するタイル フォーマット内に、前記サーバー コンピュータに記憶されたイメージの部分を示すデータを含んでおり、
前記信号が、要求される前記データを識別する前記クライアント コンピュータのインターネット ブラウザにより発生させられるが、前記クライアント コンピュータのキャッシュ内に存在しない情報の受け取りに応答して、前記サーバー コンピュータにより送られて、前記クライアント コンピュータに、特定の解像度のイメージの部分を表示し、
前記信号内に存在するデータが、前記サーバー コンピュータのインターネット ブラウザにより識別されるデータに対応する
ようにした電子信号。
【請求項９２】
コンピュータ ネットワークを介してディジタル イメージを見る装置において、
サーバー、即ち複数のディジタル タイル化した多解像度イメージを記憶し、インターネット ブラウザを有するクライアント コンピュータの使用者に、イメージの可視ディスプレイをナビゲートすることを許容するサーバーを包含し、該可視ディスプレイが、
特定の解像度のディジタル イメージの所定部分を見るためにクライアント コンピュータからの要求を受ける手段と、
前記ディジタル イメージの要求された部分を表示するに必要とされるが、前記クライアント コンピュータのキャッシュ内に存在しないタイルの識別を、前記クライアント コンピュータの前記インターネット ブラウザから受け取る手段と、
前記クライアント コンピュータへこれらの必要とされるタイルを移行させる手段とを包含する装置。
【請求項９３】
コンピュータ ネットワークを介してディジタル イメージを見る方法において、
複数の解像度を有する複数のイメージ タイルをもつディジタル イメージをサーバー コンピュータに記憶し、
クライアント コンピュータのインターネット ブラウザの利用者が、前記ディジタル イメージの可視ディスプレイをナビゲートすることを可能にするに必要なデータを提供するに当り、
前記ディジタル イメージの所定部分を所定解像度で表示するに必要な前記イメージ タイルを識別し、
この識別されたイメージ タイルを、少なくとも１つのファイル内のバイト領域に翻訳し、
前記識別されたイメージ タイルのどれが前記クライアント コンピュータのローカル キャッシュ内に存在するかをインターネット ブラウザにより決定した後、前記ローカル キャッシュ内に存在しない前記の識別されたイメージ タイルのデータのために、前記の少なくとも１つのファイル内のバイト領域に記憶されたデータへの前記クライアント コンピュータからの要求を受け、
コンピュータ ネットワークを介して前記クライアント コンピュータへ、前記の少なくとも１つのファイル内のバイト領域に記憶された前記の要求されたデータを通信して、前記クライアント コンピュータ内に記憶させるとともに表示する
ことを包含する方法。
【請求項９４】
請求項９３記載の方法において、前記識別プロセス及び前記翻訳プロセスが前記クライアント コンピュータにより実行される方法。
【請求項９５】
請求項９４記載の方法において、各イメージ タイルに対応する少なくとも１つのファイル内のバイト領域を包含するリストを通信することをさらに包含し、かつ、前記翻訳プロセスが前記リストを用いて、識別されたイメージ タイルを、前記少なくとも１つのファイル内のバイト領域内に翻訳するようにした方法。
【請求項９６】
コンピュータ ネットワークを介してディジタル イメージを見るシステムにおいて、
前記ディジタル イメージの所定部分を所定の解像度で表示するに必要なイメージ タイルを識別するデータ プロセッサと、
識別されたイメージ タイルを、少なくとも１つのファイル内のバイト領域内に翻訳するアドレス トランスレータと、
サーバー コンピュータと
を包含し、前記サーバー コンピュータが
複数の解像度を有する複数のイメージ タイルをもつディジタル イメージを記憶するコンピュータ ハードウエアと、
ローカル キャッシュ内に存在しない前記の識別されたイメージ タイルのデータのために、前記の少なくとも１つのファイル内のバイト領域に記憶されたデータを求めるクライアント コンピュータからの要求を受けるレシーバと、
トランスミッタと
を包含し、前記サーバー コンピュータがクライアント コンピュータ、即ち
前記ディジタル イメージの可視ディスプレイをナビゲートするとともに、前記データ プロセッサにより識別されたイメージ タイルのどれがローカル キャッシュ内にあるかを決定するインターネット ブラウザと、
該インターネット ブラウザが、新しくアクセスしたデータを自動的に記憶させるローカル キャッシュとを包含するクライアント コンピュータと相互運用されるようになっており、
前記サーバーが、前記クライアント コンピュータもまた接続されているコンピュータ ネットワークに接続されており、これを介して前記レシーバが前記クライアント コンピュータからの要求を受けるようにされており、かつ、前記トランスミッタが、前記コンピュータ ネットワークを介して前記クライアント コンピュータへ、前記少なくとも１つのファイル内のバイト領域に記憶された要求データを通信するようにしたシステム。
【請求項９７】
請求項９６記載のシステムにおいて、前記データ プロセッサ及び前記アドレス トランスレータが前記クライアント コンピュータ内にあるシステム。
【請求項９８】
請求項９７記載のシステムにおいて、前記トランスミッタがまた、前記アドレス トランスレータによる使用のため、各イメージ タイルのための少なくとも１つのファイル内のバイト領域に包含するリストを、コンピュータ ネットワークを介して前記クライアント コンピュータへ通信するようにしたシステム。
【請求項９９】
コンピュータ ネットワークを介してディジタル イメージを見るシステムにおいて、
クライアント コンピュータ、即ちディジタル イメージの可視ディスプレイをナビゲートするためのインターネット ブラウザと、
前記インターネット ブラウザが、新たにアクセスしたデータを自動的に記録するローカル キャッシュ
とを包含するクライアント コンピュータと、
データ プロセッサ、即ち複数の解像度において複数のイメージ タイルをもつディジタル イメージの所定部分を所定の解像度において表示するに必要なイメージ タイルを識別するデータ プロセッサと、
識別されたイメージ タイルを少なくとも１つのファイル内のバイト領域に翻訳するアドレス トランスレータと
を包含し、
前記インターネット ブラウザが、前記データ プロセッサにより識別されたイメージ タイルのどれが前記ローカル キャッシュ内に存在するかを決定し、かつ、前記クライアント コンピュータが、サーバー コンピュータと相互運用されるようになっており、前記サーバー コンピュータが、
複数の解像度を有する複数のイメージ タイルを有するディジタル イメージ を記憶するためのコンピュータ ハードウエアと、
前記ローカル キャッシュ内に存在しない前記識別されたイメージ タイルのデータのために前記少なくとも１つのファイル内のバイト領域に記憶されたデータを求める前記クライアント コンピュータからの要求を受けるレシーバと、
前記少なくとも１つのファイル内のバイト領域に記憶された前記要求されたデータを、コンピュータ ネットワークを介して前記クライアント コンピュータへ通信するトランスミッタと
を包含するシステム。
【請求項１００】
請求項９９記載のシステムにおいて、前記データ プロセッサ及び前記アドレス トランスレータが前記クライアント コンピュータ内にあるシステム。
【請求項１０１】
請求項１００記載のシステムにおいて、前記トランスミッタがまた、各イメージ タイルのために少なくとも１つのファイル内のバイト領域を包含するリストを、前記アドレス トランスレータによる使用のために前記コンピュータ ネットワークを介して前記クライアント コンピュータへ通信するシステム。